(57)【特許請求の範囲】
【請求項１】
板状部分が電線の外周囲を覆うように曲げられることにより形成されたプロテクタ本体部と、
前記プロテクタ本体部を形成する前記板状部分の一側部から外方に延出し、前記プロテクタ本体部の外周で単独で線状部材を保持可能な形状に曲げ可能な保持片と、
を備えるプロテクタ。
【請求項２】
板状部分が電線の外周囲を覆うように曲げられることにより形成されたプロテクタ本体部と、
前記プロテクタ本体部を形成する前記板状部分の一側部から外方に延出し、前記プロテクタ本体部の外周で線状部材を保持可能な形状に曲げ可能な保持片と、
を備え、
前記プロテクタ本体部に、前記保持片を、前記線状部材を保持可能な形状に曲げた状態で、前記保持片の先端部を挿入して固定するための固定孔が形成されている、プロテクタ。
【請求項３】
請求項２に記載のプロテクタであって、
前記プロテクタ本体部の前記一側部に、前記固定孔が形成されている、プロテクタ。
【請求項４】
請求項２又は請求項３に記載のプロテクタであって、
前記プロテクタ本体部に、前記保持片を前記プロテクタ本体部の外周面に沿わせた状態でその先端部を挿入可能な待機用固定孔が形成されている、プロテクタ。
【請求項５】
請求項１〜請求項４のいずれか１項に記載のプロテクタであって、
前記プロテクタ本体部及び前記保持片は、複数の板状部と前記複数の板状部の間に形成された介在部とを含む中空構造を有する中空板材、不織部材製の板材、又は、樹脂製の板材によって形成されている、プロテクタ。
【請求項６】
請求項１〜請求項５のいずれか１項に記載のプロテクタと、
前記プロテクタ本体部内に収容された電線と、
を備える電線モジュール。
【発明の詳細な説明】
【技術分野】
【０００１】
この発明は、電線を保護する技術に関する。
【背景技術】
【０００２】
特許文献１は、電線支持部材に、プラスチック段ボールシートを使用する技術を開示している。特許文献１では、例えば、第１のプラスチック段ボールシートと第２のプラスチック段ボールシートとの間に、電線束が挟まれる。
【先行技術文献】
【特許文献】
【０００３】
【特許文献１】特開２０１４−１１７０９９号公報
【発明の概要】
【発明が解決しようとする課題】
【０００４】
しかしながら、特許文献１に開示の技術では、プラスチック段ボールシートによって電線束を挟込んだ状態で、その外部に線状部材を配設することは困難である。
【０００５】
そこで、本発明は、板材によって形成されたプロテクタ本体部の外周に、線状部材を容易に配設することができるようにすることを目的とする。
【課題を解決するための手段】
【０００６】
上記課題を解決するため、第１の態様に係るプロテクタは、板状部分が電線の外周囲を覆うように曲げられることにより形成されたプロテクタ本体部と、前記プロテクタ本体部を形成する前記板状部分の一側部から外方に延出し、前記プロテクタ本体部の外周で単独で線状部材を保持可能な形状に曲げ可能な保持片と、を備える。
【０００７】
第２の態様に係るプロテクタは、板状部分が電線の外周囲を覆うように曲げられることにより形成されたプロテクタ本体部と、前記プロテクタ本体部を形成する前記板状部分の一側部から外方に延出し、前記プロテクタ本体部の外周で線状部材を保持可能な形状に曲げ可能な保持片と、を備え、前記プロテクタ本体部に、前記保持片を、前記線状部材を保持可能な形状に曲げた状態で、前記保持片の先端部を挿入して固定するための固定孔が形成されているものである。
【０００８】
第３の態様は、第２の態様に係るプロテクタであって、前記プロテクタ本体部の前記一側部に、前記固定孔が形成されているものである。
【０００９】
第４の態様は、第２又は第３の態様に係るプロテクタであって、前記プロテクタ本体部に、前記保持片を前記プロテクタ本体部の外周面に沿わせた状態でその先端部を挿入可能な待機用固定孔が形成されているものである。
【００１０】
第５の態様は、第１〜第４のいずれか１つの態様に係るプロテクタであって、前記プロテクタ本体部及び前記保持片は、複数の板状部と前記複数の板状部の間に形成された介在部とを含む中空構造を有する中空板材、不織部材製の板材又は樹脂製の板材によって形成されているものである。
【００１１】
第６の態様は、第１〜第５のいずれか１つの態様に係るプロテクタと、前記プロテクタ本体部内に収容された電線とを備える。
【発明の効果】
【００１２】
第１〜第６の態様によると、プロテクタ本体部内に電線を収容して保護することができる。そして、線状部材を保持するように保持片を変形させてその状態に維持する。これにより、板材によって形成されたプロテクタ本体部の外周に、線状部材を容易に配設することができる。
【００１３】
第２の態様によると、保持片を、線状部材を保持可能な形状に容易に維持することができる。
【００１４】
第３の態様によると、保持片の先端部がプロテクタ本体部の一側部の固定孔に挿入されて固定される。このため、保持片をなるべく丸めた状態とすることができ、線状部材が複数本ある場合に、それらをなるべく円形断面となるように束ねた状態にすることができ、そのコンパクト化が可能となる。
【００１５】
第４の態様によると、追加的な線状部材を保持しない状態で、保持片をプロテクタ本体部の外周面に沿わせた状態とすることでき、この状態で、プロテクタのコンパクト化が可能となる。
【図面の簡単な説明】
【００１６】
【図１】第１実施形態に係る電線モジュールを示す概略斜視図である。
【図２】同上の電線モジュールを示す概略斜視図である。
【図３】同上の電線モジュールを示す概略斜視図である。
【図４】中空構造を有する板材を示す一部破断斜視図である。
【図５】第２実施形態に係る電線モジュールを示す概略斜視図である。
【図６】同上の電線モジュールを示す概略斜視図である。
【発明を実施するための形態】
【００１７】
｛第１実施形態｝
以下、第１実施形態に係るプロテクタ及び電線モジュールについて説明する。図１〜図３は、電線モジュール１０を示す概略斜視図である。図１はプロテクタ２０の外周に線状部材１８を保持しない状態、図２はプロテクタ２０の保持片３０を外方に向けて延出させた状態、図３はプロテクタ２０の外周に線状部材１８を保持した状態を示している。
【００１８】
電線モジュール１０は、プロテクタ２０と、電線１２とを備える。
【００１９】
電線１２は、芯線の周囲に絶縁被覆が形成されたものである。ここでは、複数の電線１２が束ねられた状態で、プロテクタ２０内に収容されている。なお、各図では、複数の電線１２の束の外形状を示している。プロテクタ２０には、１本の電線１２のみが収容されていてもよい。本プロテクタ２０による保護箇所又は本プロテクタ２０による保護箇所以外の箇所で、複数の電線１２が分岐していてもよい。複数の電線１２がプロテクタ２０による保護箇所で分岐する場合、プロテクタ２０に分岐線部分を延出させるための分岐用開口を形成しておくとよい。電線１２に沿って光ファイバーケーブル等が配設されていてもよい。
【００２０】
プロテクタ２０は、プロテクタ本体部２２と、保持片３０とを備え、曲げ可能な板材２１を曲げることによって形成されている。
【００２１】
曲げ可能な板材２１によって形成されたプロテクタ２０は、板材２１の曲げライン、折曲げの程度を適宜変更することで、種々形状に加工することが可能となる。このため、板材２１によって形成されたプロテクタ２０を用いることで、電線１２或は電線１２の束を多様な経路で規制することを、比較的安価に実現することが可能となる。
【００２２】
かかる曲げ可能な板材２１としては、電線１２を覆った状態で当該電線１２を保護可能な程度の剛性（好ましくは電線１２の経路規制が可能な程度の剛性）を有し、かつ、曲げ可能な性質（好ましくは折曲げ可能な性質）を有するものを用いるとよい。
【００２３】
かかる板材２１としては、複数の板状部分の間に中空構造が形成された中空板材を用いることが好ましい。かかる中空構造を有する板材２１であれば、軽量かつ強度的にも優れたプロテクタ２０を得ることができるからである。
【００２４】
図４は中空構造を有する板材２１の一例を示す一部切り欠き斜視図である。
【００２５】
この板材２１は、複数（ここでは２つ）の板状部２１ａと、複数の板状部２１ａに挟込まれた介在部２１ｂとを備える。
【００２６】
複数の板状部２１ａ及び介在部２１ｂを形成する材質は特に限定されない。複数の板状部２１ａ及び介在部２１ｂは、紙によって形成されていてもよいし、樹脂によって形成されていてもよいし、また、これらの組合わせによって構成されていてもよい。複数の板状部２１ａ及び介在部２１ｂの少なくとも１つを紙によって形成する場合には、その表面に撥水処理等を施すことが好ましい。
【００２７】
板状部２１ａは、平板状に形成されている。複数の板状部２１ａが介在部２１ｂを介して間隔をあけた状態で連結されている。
【００２８】
ここでは、複数の板状部２１ａの間に、複数の介在部２１ｂが相互間に間隔をあけた並列状態で設けられている。
【００２９】
各介在部２１ｂは、細長い板状に形成されており、両側の板状部２１ａに対して直交する姿勢で、当該板状部２１ａに対して繋がっている。
【００３０】
このため、板材２１を、介在部２１ｂの延在方向に対して直交する面で切断すると、一対の板状部２１ａの間に複数の介在部２１ｂが並列状に存在するはしご状断面を示す。
【００３１】
このような板材２１は、例えば、前記はしご状断面に応じた押出孔から樹脂を押出す押出成型装置によって、連続的に製造することができ、これにより、板材を容易に低コストで製造することができる。或は、並列状態に配設される複数の介在部２１ｂの両側部に、２つ板状部２１ａを熱溶着、接着剤等で接合することによっても、板材２１を製造することができる。
【００３２】
中空構造を有する板材の例は上記例に限られない。例えば、板材は、複数の板状部の間に、山部と谷部とが波状に連続する介在部が挟込まれた構成であってもよい。或は、板材は、複数の板状部の間に存在する介在部は、三角柱等の多角柱状の中空形状を形成するものであってもよく、特に、ハニカム構造を形成するものであってもよい。
【００３３】
これらの中空構造を有する板材のうち樹脂によって形成されたものは、プラスチック段ボールと呼ばれることがある。
【００３４】
プロテクタ本体部２２は、板材２１の帯状又は方形状の板状部分を、電線１２の外周囲を覆う形状に折曲げられることにより形成されている。ここでは、帯状又は方形状の板状部分が、電線１２を収容可能な筒形状（ここでは四角筒形状）をなすように曲げられている。より具体的には、帯状又は方形状の板状部分が、５つの細長方形領域に分割され、それぞれの細長形状領域間の直線ラインに沿って直角に曲げることによってプロテクタ本体部２２が形成されている。なお、ここでは、板状部分のうち曲げられるラインの外周側の板状部２１ａにスリットが形成され、板状部分を容易に曲げることができるようになっている。なお、かかるスリットは必須ではない。
【００３５】
帯状又は方形状の板状部分の両側の細長形状領域は、重ね合された状態に維持されている。この重ね合せ状態の維持は、例えば、前記板状部分の一方の細長形状領域に係止片を形成し、他方の細長形状領域に前記係止片を嵌め込み可能な係止孔を形成し、前記係止片を前記係止孔に係止させること、両側の細長形状領域同士を超音波接合、熱溶着等によって溶着すること、接着剤又は粘着剤によって接合すること、或は、プロテクタ本体部２２の外周囲に粘着テープを巻回すること、等によりなされる。
【００３６】
上記プロテクタ本体部２２内に、電線１２を収容可能な細長い空間が形成され、当該空間内に電線１２が収容される。
【００３７】
なお、プロテクタ本体部２２は、その他の多角形筒形状（例えば、三角形筒形状等）、円筒形状をなすように曲げられていてもよい。
【００３８】
保持片３０は、上記プロテクタ本体部２２を形成する板状部分の一側部（図１〜図３では底の外周側に配設される細長形状領域の側部）から外方に延出し、プロテクタ本体部２２の外周で線状部材１８を保持可能に構成されている。なお、保持片３０は、プロテクタ本体部２２を形成するための板状部分を打抜き等する際に、同時に打抜き形成されることが好ましい。
【００３９】
ここで、線状部材１８としては、プロテクタ本体部２２内に電線１２を収容した状態で、追加的に配設されるオプション電気部品用の電線、アンテナ線、ウオッシャー液を流すためのチューブ等が想定される。線状部材１８は、電線モジュール１０製造当初に組込まれるものであってもよいし、後から、追加的に組込まれるものであってもよい。
【００４０】
保持片３０は、帯状に形成されており、その幅寸法は、プロテクタ本体部２２の長さ寸法よりも短い。保持片は、プロテクタ本体部の長さ寸法と同じ幅寸法であってもよい。
【００４１】
また、保持片３０の長さ寸法は、プロテクタ本体部２２の高さ寸法よりと同程度に設定されている。また、保持片３０の延在方向中間部であって外側の板状部には、その幅方向に沿ったスリット３０Ｓ（ここでは切れ目）が形成されている。ここでは、２つのスリット３０Ｓが形成されている。保持片３０を、外側に凸とするように容易に曲げることができるようになっている。なお、かかるスリット３０Ｓは必須ではない。
【００４２】
そして、保持片３０をプロテクタ本体部２２の一方の側壁部２２Ｗの外面に沿って配設することができる。また、保持片３０を曲げてその先端部を、側壁部２２Ｗの高さ方向中間部に連結することで、側壁部２２Ｗの外面と曲げられた保持片３０との間に、線状部材１８を保持可能な空間を形成できるようになっている。
【００４３】
より具体的には、プロテクタ本体部２２には、保持片３０を、プロテクタ本体部２２の外周面に沿わせた状態で、その先端部を挿入可能な待機用固定孔２４が形成されている。
【００４４】
保持片３０の先端部に、基部３１と幅広部３２とを備えるロック挿入部３３が設けられている。基部３１は、保持片３０の延在方向中間部よりも幅狭であり、幅広部３２は、基部３１よりも幅広に形成されている。従って、基部３１と幅広部３２とを全体として観察すると、Ｔ字状をなしている。
【００４５】
また、プロテクタ本体部２２には、保持片３０をプロテクタ本体部２２の外周面に沿わせた状態で、その先端部であるロック挿入部３３を挿入可能な待機用固定孔２４が形成されている。ここでは、待機用固定孔２４は、プロテクタ本体部２２のうち保持片３０の基端部が繋がる部分から１つの側壁部２２Ｗを隔てた天井部２２Ｔに形成され、特に、天井部２２Ｔのうち前記側壁部２２Ｗよりの位置に形成されている。待機用固定孔２４は、前記側壁部２２Ｗ側で幅狭となるＴ字状の開口形状に形成されている。待機用固定孔２４のうち幅広となる部分は、上記幅広部３２を挿入可能な幅の開口形状に形成され、待機用固定孔２４のうち幅狭となる部分は、上記幅広部３２よりも幅狭で、かつ、基部３１を配設可能な程度の幅を有する開口形状に形成されている。
【００４６】
そして、プロテクタ本体部２２及び保持片３０を適宜弾性変形させつつ、待機用固定孔２４の幅広部分に保持片３０の先端部のロック挿入部３３を挿入する。そして、ロック挿入部３３を待機用固定孔２４の幅狭部分側に引っ張ると、幅広部３２が待機用固定孔２４の幅狭部分に抜止め状に係止する。これにより、保持片３０の先端部のロック挿入部３３が待機用固定孔２４に挿入された状態でプロテクタ本体部２２に固定される。この状態では、保持片３０は、プロテクタ本体部２２の側壁部２２Ｗの外周面に沿った状態となる。このため、保持片３０によって線状部材１８を保持しない状態では、保持片３０がプロテクタ本体部２２の外周側に突出し難くなり、プロテクタ本体部２２のコンパクト化を実現できる。
【００４７】
また、プロテクタ本体部２２には、保持片３０を、線状部材１８を保持可能な形状に曲げた状態で、保持片３０の先端部のロック挿入部３３を挿入して固定するための固定孔２６が形成されている。
【００４８】
ここでは、固定孔２６は、プロテクタ本体部２２のうち保持片３０の基端部が繋がる部分に隣接する側壁部２２Ｗに形成されている。より具体的には、側壁部２２Ｗの高さ方向中間部に形成されている。保持片３０は、側壁部２２Ｗの高さ方向に沿って沿わせることが可能な程度の長さ寸法に設定されているため、保持片３０の先端部を、側壁部２２Ｗの高さ方向中間部に挿入固定することによって、保持片３０を曲げた状態に保持することができる。これにより、保持片３０の内側に線状部材１８を保持可能な空間を形成できる。
【００４９】
より具体的には、側壁部２２Ｗの高さ方向中間部に、固定孔２６が形成されている。固定孔２６は、保持片３０の基端部が繋がる側（底側）で幅狭となるＴ字状の開口形状に形成されている。固定孔２６のうち幅広となる部分は、上記幅広部３２を挿入可能な幅の開口形状に形成され、固定孔２６のうち幅狭となる部分は、上記幅広部３２よりも幅狭で、かつ、基部３１を配設可能な程度の幅を有する開口形状に形成されている。
【００５０】
そして、側壁部２２Ｗと保持片３０との間に線状部材１８を配設した状態で、固定孔２６の幅広部分に保持片３０の先端部のロック挿入部３３を挿入する。そして、ロック挿入部３３を固定孔２６の幅狭部分側に引っ張ると、幅広部３２が固定孔２６の幅狭部分に抜止め状に係止する。これにより、保持片３０の先端部のロック挿入部３３が固定孔２６に挿入された状態でプロテクタ本体部２２に固定される。この状態では、側壁部２２Ｗの外面と曲げられた保持片３０とで囲まれる空間内に、線状部材１８を保持することができる。
【００５１】
なお、保持片３０の先端部を、上記ロック挿入部３３と固定孔２６との係止構造によって固定することは必須ではない。プロテクタ本体部に対する保持片の先端部の固定は、保持片の先端部をプロテクタ本体部に形成された孔に圧入すること、超音波接合又は熱溶着等によって溶着すること等によっても実現することができる。
【００５２】
以上のように構成されたプロテクタ２０及び電線モジュール１０によると、電線１２についてはプロテクタ本体部２２内に収容して保護することができる。そして、線状部材１８を保持するように保持片３０を変形させてその状態に維持することにより、板材２１によって形成されたプロテクタ本体部２２の外周に線状部材１８を容易に配設して保持することができる。
【００５３】
また、プロテクタ本体部２２に、保持片３０を、線状部材１８を保持可能な形状に曲げた状態で、保持片３０の先端部を挿入して固定するための固定孔２６が形成されているため、保持片３０を曲げて線状部材１８を保持した状態に容易に維持することができる。これにより、プロテクタ本体部２２の外周に線状部材１８を容易に配設して保持することができる。
【００５４】
また、プロテクタ本体部２２には、保持片３０をプロテクタ本体部２２の外周面に沿わせた状態でその先端部を挿入可能な待機用固定孔２４が形成されているため、線状部材１８を保持しない状態では、保持片３０の先端部を待機用固定孔２４に挿入して、保持片３０をプロテクタ本体部２２の外周面に沿わせた状態に維持することができる。これにより、線状部材１８を保持しない状態で、プロテクタ２０のコンパクト化が可能となる。
【００５５】
｛第２実施形態｝
第２実施形態に係る電線モジュール１１０及びプロテクタ１２０について説明する。図５及び図６は、電線モジュール１１０を示す概略斜視図である。図５はプロテクタ２０の外周に線状部材１８を保持した状態、図６はプロテクタ２０の保持片３０を外方に向けて延出させた状態を示している。
【００５６】
この電線モジュール１１０は、プロテクタ１２０と、電線１２とを備える。
【００５７】
電線１２は、第１実施形態で説明したものと同様構成であるため、ここでは、その説明を省略する。
【００５８】
プロテクタ１２０は、プロテクタ本体部１２２と、保持片１３０とを備え、曲げ可能な板材１２１を曲げることによって形成されている。
【００５９】
プロテクタ１２０を、曲げ可能な板材１２１によって形成することによるメリットは、上記第１実施形態において説明した通りである。
【００６０】
ここでは、曲げ可能な板材１２１としては、第１実施形態で説明したように中空構造を有する中空板材の他、不織部材をホットプレスして固めた不織部材製の板材、樹脂製の板材（中空構造ではない樹脂製の板材）、紙製の板材等を用いることもできる。ここでは、板材１２１として、不織部材をホットプレスして固めた不織部材製の板材を用いた例で説明する。
【００６１】
不織部材としては、複数の繊維が織られずに絡み合った繊維材料であって、柔軟性を有している。このような不織部材を加熱状態で圧縮すれば、繊維の少なくとも一部が溶融し、この溶融した繊維が他の繊維同士を結合した状態で固化する。この際の加熱温度、圧縮の程度等を調整することによって、不織部材を、好ましい剛性を有する板材に加工することができる。不織部材は、好ましくは、基本となる繊維よりも融点が低いバインダを含んでいる。
【００６２】
プロテクタ本体部１２２は、板材１２１の帯状又は方形状の板状部分を、電線１２の外周囲を覆う形状に折曲げられることにより形成されている。ここでは、帯状又は方形状の板状部分が、電線１２を収容可能な筒形状（ここでは四角筒形状）をなすように曲げられている。より具体的には、帯状又は方形状の板状部分が、４つの細長方形領域に分割され、それぞれの細長形状領域間の直線ラインに沿って直角に曲げることによってプロテクタ本体部１２２が形成されている。
【００６３】
板材１２１の一側部と他側部とは突合わされた状態に維持されている。ここでは、板材１２１の一側部（底部となる部分の側部）が一方の側壁部１２２Ｗより外方に突出している。そして、板材の一側部に固定孔１２６が形成されている。また、板材１２１の他側部には挿入片１２１ｂが形成されている。そして、挿入片１２１ｂが後述する保持片１３０の先端部と共に、固定孔１２６に圧入されることによって、板材１２１が筒形状に維持される。プロテクタ本体部１２２の筒形状の維持は、上記第１実施形態と同様構成によってなされてもよい。
【００６４】
なお、後述する保持片１３０は、板材１２１の一側部より外方に延出しているため、固定孔１２６は、板材１２１のうち保持片１３０の基端部が繋がる部分に形成されている。このため、保持片１３０の先端部を固定孔１２６に挿入固定すると、保持片１３０は環状をなすようになる。
【００６５】
このプロテクタ本体部１２２内に、電線１２を収容可能な細長い空間が形成され、当該空間内に電線１２が収容される。なお、プロテクタ本体部１２２は、その他の多角形筒形状（例えば、三角形筒形状等）、円筒形状をなすように曲げられていてもよい。
【００６６】
保持片１３０は、上記プロテクタ本体部１２２を形成する板状部分の一側部（図５及び図６では底に配設される部分の側部）から外方に延出し、プロテクタ本体部１２２の外周で線状部材１８を保持可能に構成されている。なお、保持片１３０は、プロテクタ本体部１２２を形成するための板状部分を打抜き等する際に、同時に打抜き形成されることが好ましい。
【００６７】
なお、線状部材１８は、上記第１実施形態で説明したものと同様構成であるため、ここでは、その説明を省略する。
【００６８】
保持片１３０は、帯状に形成されており、その幅寸法は、プロテクタ本体部１２２の長さ寸法よりも短い。また、ここでは、保持片１３０は、その延在方向全体において同じ幅の帯状に形成されている。
【００６９】
そして、側壁部１２２Ｗと保持片１３０との間に線状部材１８を配設した状態で、保持片１３０を丸めるように変形させて、固定孔１２６のうち上記挿入片１２１ｂが挿入されて余った空間内に、保持片１３０の先端部を挿入する。これにより、保持片１３０が環状に変形して、線状部材１８を保持した状態に維持される。この実施形態では、保持片１３０が環状に変形するため、複数の線状部材１８を保持する場合に、それらを、断面円形状をなすように束ねた状態とすることができる。
【００７０】
なお、保持片の先端部とプロテクタ本体部との固定構造は、上記第１実施形態で説明した構成を採用することができる。
【００７１】
このように構成されたプロテクタ１２０及び電線モジュール１１０によると、電線１２についてはプロテクタ本体部１２２内に収容して保護することができる。そして、線状部材１８を保持するように保持片１３０を変形させてその状態に維持することにより、板材１２１によって形成されたプロテクタ本体部１２２の外周に線状部材１８を容易に配設して保持することができる。
【００７２】
また、プロテクタ本体部１２２に、保持片１３０を、線状部材１８を保持可能な形状に曲げた状態で、保持片１３０の先端部を挿入して固定するための固定孔１２６が形成されているため、保持片１３０を曲げて線状部材１８を保持した状態に容易に維持することができる。これにより、プロテクタ本体部１２２の外周に線状部材１８を容易に配設して保持することができる。
【００７３】
また、保持片１３０の先端部がプロテクタ本体部１２２の一側部の固定孔１２６に挿入されて固定される。このため、保持片１３０をなるべく環状に丸めた状態とすることができ、線状部材１８が複数本ある場合に、それらをなるべく円形断面となるように束ねた状態にすることができる。結果、複数の線状部材１８をコンパクトな形態に束ねることが可能となる。
【００７４】
｛変形例｝
なお、第１実施形態及び第２実施形態で説明した各構成は、相互に矛盾しない限り適宜組合わせることができる。例えば、第１実施形態におけるプロテクタ２０が不織部材製の板材によって形成されていてもよいし、第２実施形態におけるプロテクタ１２０中空板材によって形成されていてもよい。また、第２実施形態において、保持片１３０をプロテクタ本体部１２２の外周面に沿って沿わせた状態で、その保持片１３０の先端部を挿入可能な待機用固定孔が形成されていてもよい。
【００７５】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７６】
１０，１１０  電線モジュール
１２  電線
１８  線状部材
２０，１２０  プロテクタ
２１，１２１  板材
２２，１２２  プロテクタ本体部
２４  待機用固定孔
２６，１２６  固定孔
３０，１３０  保持片
３３  ロック挿入部
【図１】
0006331886.tif 000002
【図２】
0006331886.tif 000003
【図３】
0006331886.tif 000004
【図４】
0006331886.tif 000005
【図５】
0006331886.tif 000006
【図６】
0006331886.tif 000007